(57)【要約】      （修正有）【課題】複数の人が同じ場所で撮影した画像を後から一緒に楽しむことができる表示装置を提供する。【解決手段】フォトフレーム１が矩形状であることを利用して、４つの辺それぞれに赤外線通信装置１２２，１２３を設ける。１つのフォトフレームでは、時間幅が狭すぎてスクロール表示される画像が見づらくなるような場合に、左右にもう一つのフォトフレームが隣接配置されると、赤外線通信装置により位置が認識され、ＣＰＵが赤外線通信装置の認識を受けて双方のフォトフレームにまたがって、時間幅を延ばしてスクロール表示を実施する。【選択図】図５
2010102179.tif 000002
【特許請求の範囲】
【請求項１】
画像を表示する表示画面を有する表示装置であって、
それぞれが１枚以上の画像を含む複数の画像ファイルを取得する取得手段と、
前記取得手段で取得した複数の画像ファイルについて、前記表示画面を各画像ファイルごとの領域に分け、該各画像ファイルに含まれる画像を該各画像ファイルに対応する各領域にスクロール表示する表示制御手段と、
当該表示装置である第１の表示装置と同種の第２の表示装置が該第１の表示装置に隣接配置された場合の、該第２の表示装置の、該第１の表示装置に対する隣接配置位置を認識する配置位置認識手段とを備え、
前記表示制御手段は、前記配置位置認識手段による前記第２の表示装置の隣接配置位置の認識を受けて、当該第１の表示装置の表示画面である第１の表示画面と前記第２の表示装置の表示画面である第２の表示画面とを合わせた拡張表示画面を前記各画像ファイルごとの領域に分け直し、該各画像ファイルに含まれる該各画像ファイルに対応する、該拡張表示画面上に分け直した各領域にスクロール表示するものであることを特徴とする表示装置。
【請求項２】
当該表示装置が矩形の板形状を有し該矩形の各辺それぞれに、前記第２の表示装置の辺が隣接したことを認識して該第２の表示装置と通信を行なう通信手段を備え、
前記配置位置認識手段は、前記各辺それぞれに備えられた通信手段のうちの前記第２の表示装置との通信が可能な通信手段が配置された辺に隣接した位置に該第２の表示装置が配置されていることを認識するものであることを特徴とする請求項１記載の表示装置。
【請求項３】
前記表示制御手段は、前記表示画面を、横方向に延び縦方向に並んだ複数の領域に分け、前記各画像ファイルそれぞれに含まれる画像を該各画像ファイルに対応する各領域にスクロール表示するものであって、
前記配置位置認識手段が前記第２の表示装置が当該第１の表示装置の右又は左に隣接して配置されたことを認識した場合に、前記表示制御手段は、前記各領域を横方向に延長することにより前記第１の表示画面と前記第２の表示画面とに跨って横方向に延びた領域に分け直し、前記各画像ファイルに含まれる画像を該各画像ファイルに対応する、分け直した各領域にスクロール表示するものであることを特徴とする請求項１又は２記載の表示装置。
【請求項４】
前記表示制御手段は、前記表示画面を、横方向に延び縦方向に並んだ複数の領域に分け、前記各画像ファイルそれぞれに含まれる画像を該各画像ファイルに対応する各領域にスクロール表示するものであって、
前記配置位置認識手段が、前記第２の表示装置が当該第１の表示装置の上又は下に隣接して配置されたことを認識した場合に、前記表示制御手段は、前記各領域の上下方向の幅を上下方向に広げることにより、前記第１の表示画面と前記第２の表示画面とを合わせた拡張表示画面を、前記各画像ファイルごとに縦方向に広がった領域に分け直し、前記各画像ファイルに含まれる画像を、該各画像ファイルに対応する、分け直した各領域にスクロール表示するものであることを特徴とする請求項１又は２記載の表示装置。
【発明の詳細な説明】
【技術分野】
【０００１】
本発明は、画像を表示する表示画面を有する表示装置に関する。
【背景技術】
【０００２】
ＬＣＤパネルを活用したデジタルフォトフレームと呼ばれるフォトフレームが普及している。このようなフォトフレームでは例えばＵＳＢ規格に適合したケーブルでこのフォトフレームとデジタルカメラとを接続してデジタルカメラ内の画像をフォトフレームにケーブルを通して転送すれば自分の好きな画像をフォトフレームの表示画面上に表示することができる。また、フォトフレームの中には、デジタルカメラで撮影した画像が記録されたメモリカードを装填して自分の好きな画像を表示することができるようにしているものもある。
【０００３】
ところで、仲間どうしで旅行したときには各々が同じ場所でほぼ同じ時刻に別々に撮影を行なうことが多く、旅行後に各人が集まったときには、同じ場所でほぼ同じ時刻に撮影した写真を交換しあってそのときの状況を互いに楽しみあうことが多い。このようなときには各人が見る同一の画面上に、各人が撮影した画像それぞれを、撮影時刻をあわせてスクロール表示することができると便利である（例えば特許文献１等参照）。
【０００４】
これを実現するためには特許文献１のようにフォトフレームの表示画面を複数の画面に分割して各人が撮影した画像を分割画面上にそれぞれ表示するとともに、各分割画面の画像を撮影時刻を横軸にしてスクロール表示することが考えられる。
【０００５】
しかしながらフォトフレームの表示画面上の分割画面それぞれに各人が撮影した画像を撮影時刻をあわせてスクロール表示する構成にすると、横軸となる時間のスケールの取り方によっては分割画面の各分割領域の画像が密に表示されたり、逆に分割画面上のいずれかの分割領域に画像が全く表示されなくなってしまうことがある。また、旅行に行った人の数が多くなると、分割画面の数が増えて画像が小さくなって各分割領域の画像が見難くなるという問題もある。
【特許文献１】特開２００７−２５６９７１号公報
【発明の開示】
【発明が解決しようとする課題】
【０００６】
本発明は、上記事情に鑑み、複数の人が同じ場所で撮影した画像を後から一緒に楽しむことができる表示装置を提供することを目的とする。
【課題を解決するための手段】
【０００７】
上記目的を達成するための本発明の表示装置は、
画像を表示する表示画面を有する表示装置であって、
それぞれが１枚以上の画像を含む複数の画像ファイルを取得する取得手段と、
上記取得手段で取得した複数の画像ファイルについて、上記表示画面を各画像ファイルごとの領域に分け、その各画像ファイルに含まれる画像をその各画像ファイルに対応する各領域にスクロール表示する表示制御手段と、
当該表示装置である第１の表示装置と同種の第２の表示装置がその第１の表示装置に隣接配置された場合の、その第２の表示装置の、その第１の表示装置に対する隣接配置位置を認識する配置位置認識手段とを備え、
上記表示制御手段は、上記配置位置認識手段による上記第２の表示装置の隣接配置位置の認識を受けて、当該第１の表示装置の表示画面である第１の表示画面と上記第２の表示装置の表示画面である第２の表示画面とを合わせた拡張表示画面を上記各画像ファイルごとの領域に分け直し、その各画像ファイルに含まれるその各画像ファイルに対応する、その拡張表示画面上に分け直した各領域にスクロール表示するものであることを特徴とする。
【０００８】
上記本発明の表示装置によれば、上記第１の表示装置だけでは表示画面上にスクロール表示されている画像が見難い時に、上記第２の表示装置が上下左右のいずれかの位置に隣接配置されると、第１の表示装置が備える第１の表示画面と第２の表示装置が備える第２の表示画面とを合わせた拡張表示画面上に画像がスクロール表示される。
【０００９】
その結果、ユーザが一つの表示装置だけではスクロール表示されている画像が見難いと思った場合にはもう一つの表示装置を上記表示装置に隣接配置して上記拡張表示画面を形成することでスクロール表示を見易くすることが可能となる。
【００１０】
ここで、当該表示装置が矩形の板形状を有しその矩形の各辺それぞれに、上記第２の表示装置の辺が隣接したことを認識してその第２の表示装置と通信を行なう通信手段を備え、
上記配置位置認識手段は、上記各辺それぞれに備えられた通信手段のうちの上記第２の表示装置との通信が可能な通信手段が配置された辺に隣接した位置にその第２の表示装置が配置されていることを認識するものであることが好ましい。
【００１１】
そうすると、上記表示制御手段は、上記配置位置認識手段の認識を受けて、上記第１の表示装置と上記第２の表示装置とを合わせた上記拡張表示画面上のスクロール表示の形態をその拡張表示画面の形状にあわせて簡単に制御することが可能となる。
【００１２】
つまり、上記表示制御手段は、上記表示画面を、横方向に延び縦方向に並んだ複数の領域に分け、上記各画像ファイルそれぞれに含まれる画像をその各画像ファイルに対応する各領域にスクロール表示するものであって、
例えば、上記配置位置認識手段が上記第２の表示装置が当該第１の表示装置の右又は左に隣接して配置されたことを認識した場合には、
上記表示制御手段は、上記各領域を横方向に延長することにより上記第１の表示画面と上記第２の表示画面とに跨って横方向に延びた領域に分け直し、上記各画像ファイルに含まれる画像をその各画像ファイルに対応する、分け直した各領域にスクロール表示し、
上記配置位置認識手段が、上記第２の表示装置が当該第１の表示装置の上又は下に隣接して配置されたことを認識した場合には、
上記表示制御手段は、上記各領域の上下方向の幅を上下方向に広げることにより、上記第１の表示画面と上記第２の表示画面とを合わせた拡張表示画面を、上記各画像ファイルごとに縦方向に広がった領域に分け直し、上記各画像ファイルに含まれる画像を、その各画像ファイルに対応する、分け直した各領域にスクロール表示することができる。
【００１３】
このため、上記表示制御手段は、１つの表示装置では、表示する時間幅が足りないときに第２の表示装置が第１の表示装置の左、又は右に隣接配置されたときには、一つの表示装置の時間幅よりも長い時間幅でスクロール表示を行なうことができ、旅行に一緒にいった人数が多くなって分割画面数が多くなってきたときに第２の表示装置が第１の表示装置の上又は下に隣接配置されたときには、一つの表示装置の分割領域の縦寸法を長くして各人の画像を縦方向に拡大してスクロール表示することができる。
【発明の効果】
【００１４】
以上説明した様に、複数の人が同じ場所で撮影した画像を後から一緒に楽しむことができる表示装置が実現する。
【発明を実施するための最良の形態】
【００１５】
以下、図面を参照して本発明の実施の形態を説明する。
【００１６】
図１は、本発明の表示装置の一実施形態であるフォトフレームを示す図である。図１（ａ）には、フォトフレームの表示画面上に画像が表示された状態が示されており、図１（ｂ）には、メニュー画面が示されている。
【００１７】
図１（ａ）に示す様にフォトフレーム１には、ＬＣＤ１５０と、４つのメモリ装填室１１１〜１１４と、４つのＵＳＢコネクタ（不図示）と、４つの赤外線通信装置１２１，１２２，１２３，１２４とが備えられている。例えば４つのメモリ装填室１１１〜１１４のうちのいずれかにメモリカードが装填されてユーザによってメニュー画面等によりメモリカード内のいずれかの画像が選択されると、その選択された画像がＬＣＤ１５０上に表示される構成になっている。また、ケーブルを使って不図示のＵＳＢコネクタにデジタルカメラを接続すると、デジタルカメラから転送した画像をＬＣＤ１５０の表示画面上に表示することもできる。
【００１８】
詳細は後述するが、本実施形態のフォトフレーム１では、単に静止画像を再生表示するだけではなく、スライドショーの形で、時刻を横軸にして一連の画像をスクロール表示することができるようにもしている。このときには、前述した様に旅行時の画像を一つの画面上に表示して皆でその画像を一緒に楽しむことができるように、ＬＣＤ１５０の表示画面を複数に分割して異なるデジタルカメラで撮影された画像を撮影時刻を合わせてその分割画面上にスクロール表示することができる構成にしてある。
【００１９】
さらに、詳細は後述するが、本実施形態のフォトフレーム１には形状が矩形状であることを利用して、上下左右の位置に４つの赤外線通信装置１２０〜１２３が配備されている。この赤外線通信装置１２０〜１２３が本発明にいう配置位置認識手段の一例を構成し、例えば、図１のフォトフレーム１を第１のフォトフレームとしてその第１のフォトフレーム１の右側に同種のフォトフレームが隣接配置されると、双方の赤外線通信装置による相互通信によって第１のフォトフレーム１と第２のフォトフレームとで各々の位置が確認され拡張表示画面が形成されて、その拡張表示画面上に第１のフォトフレームに表示されていた画像が拡張されて表示されるように構成されている。
【００２０】
ここで、図２を参照して図１のフォトフレーム１の内部構成を説明する。
【００２１】
図２は、フォトフレーム１の内部構成を示す図である。
【００２２】
図２に示す様にフォトフレーム１の内部にはＣＰＵ１００が備えられており、フォトフレーム１の動作はこのＣＰＵ１００で統括的に制御される。また、フォトフレーム１内には、このフォトフレーム１を動作させるためのプログラムが格納されているプログラムメモリ１０１とＬＣＤ１５０の表示画面上に表示する画像を表わす画像データが格納される画像メモリ１０２とが備えられている。これらのメモリ１０１，１０２とＣＰＵ１００とはバスｂｕｓで接続されている。このバスｂｕｓには、さらに、４つの赤外線通信装置１２０〜１２３や表示制御部１０３や外部メモリ制御部１０４が接続されている。
【００２３】
その表示制御部１０３には、ＬＣＤ１５０が接続され、ＬＣＤ１５０の動作がＣＰＵ１００とこの表示制御部１０３によって制御される様に構成されている。
【００２４】
また外部メモリ制御部１０４には、４つのメモリ装填室１１１〜１１４内に設けられたコネクタＳＤ１〜ＳＤ４が各々接続されており、４つのメモリ装填室の少なくとも一つにメモリカードが装填されると、ＣＰＵ１００が外部メモリ制御部１０４を介してそれらのコネクタＳＤ１〜ＳＤ４を通してメモリ装填室１１１〜１１４内のメモリカードにアクセス可能になるように構成されている。さらに、このバスｂｕｓには、ＵＳＢ制御部１４０も接続されており、ＵＳＢコネクタ１４０１〜１４０４の少なくとも一つにケーブルを介して相手側の機器例えばデジタルカメラが接続されると、ＣＰＵ１００がＵＳＢ制御部１４０を制御してそのデジタルカメラＣＰＵ１００にアクセス可能になるように構成されている。
【００２５】
ＣＰＵ１００は、プログラムメモリ１０１内のプログラムの手順にしたがって、例えばＵＳＢ制御部１４０を制御してＵＳＢコネクタにケーブルで接続されたデジタルカメラにアクセスしてデジタルカメラ内の画像を取得して画像メモリ１０２に記憶し、表示制御部１０３を制御してその画像メモリ１０２からその画像を読み出してＬＣＤ１５０の表示画面上にその画像を表示したり、外部メモリ制御部１０４を制御してメモリ装填室１１０〜１１３に装填されたメモリカード内の画像を取得して画像メモリ１０２に記憶して表示制御部１０３を制御してその画像メモリ１０２内の画像を読み出して表示画面上に表示したりする。本実施形態では、ＣＰＵ１００とＵＳＢ制御部やＣＰＵ１００と外部メモリ制御部とが本発明にいう画像取得手段の一例を構成する。
【００２６】
また、この例では、ＬＣＤ１５０の表示画面を効率的に使うことができるようにするために、表示画面にタッチパネル１５０Ａが配備されており、図１には、斜め右下方にメニュー画面への切替を行なうためのメニュボタン１５０１Ａが表示された例が示されている。
【００２７】
ＣＰＵ１００は、そのＬＣＤ１５０上のタッチパネル１５０Ａ上のメニューボタン１５０１Ａが操作されたときには、プログラムメモリ１０１内のプログラムの手順にしたがって表示制御部１０３を制御して図１（ｂ）に示す様なＬＣＤ１５０の表示画面上にメニューを表示したり、さらにそのメニュで設定された内容に応じて、ＬＣＤ１５０の表示画面上に、画像を静止した状態で表示したり画像をスクロール表示したりする。本実施形態においては、このＣＰＵ１００とプログラムメモリ１０１と表示制御部１０３とが本発明にいう表示制御手段の一例を構成する。
【００２８】
ここで、図１（ａ）のメニューボタン１５０１Ａが押されたときのＣＰＵ１００の処理を説明する。
【００２９】
まず、ＣＰＵ１００は、図１（ａ）の右下のメニューボタン１５０１Ａが操作されたことを受けて、図１（ｂ）に示すメニュー画面を表示する。このメニュー画面には、設定ボタン１５０２Ａと、スライドショーボタン１５０３Ａと、再生表示ボタン１５０４Ａとが設けられている。
【００３０】
この中のスライドショーボタン１５０３Ａが押されると、ＣＰＵ１００はＬＣＤ１５０の表示画面上に撮影時刻を横軸にして表示画面の左から右に流れるように画像をスクロール表示し、再生表示ボタンが押されると、ＣＰＵ１００は図１（ａ）に示す様に一枚の画像が静止した状態で再生表示する。
【００３１】
また本実施形態では、例えばスライドショーボタン１５０３Ａと設定ボタン１５０２Ａとの双方がほぼ同時に押されると、ＣＰＵ１００は、表示制御部１０３と連携してプログラムメモリ１０１内のプログラムの手順にしたがってスライドショーに関する設定画面を表示し、再生表示ボタン１５０４Ａと設定ボタン１５０２Ａとの双方がほぼ同時に押されると、ＣＰＵ１００は、同様に、静止した状態で再生表示する画像をどれにするかの設定画面を表示する。ユーザによってその設定画面上で適宜設定が行なわれ、その後スライドショーボタン１５０３Ａが押されると、ＣＰＵ１００は表示制御部１０３と連携してプログラムメモリ１０１内のプログラムの手順にしたがって設定画面で設定されたとおりのスクロール表示を実行し、再生表示ボタン１５０４Ａが押されると設定画面で設定された画像を静止した状態で表示画面上に表示する。
【００３２】
図３はスライドショーの設定に関する設定画面の一例を示す図である。
【００３３】
図３の左側には、この設定画面が表示される前の一つ前の設定画面で表示画面上に表示する人数が３と入力された後の分割画面が示されており、図３の右側には、メモリカード内の画像ファイルのタグ情報から読み取られたデジタルカメラの識別番号を示すカメラＩＤやＵＳＢコネクタにケーブルで接続されたデジタルカメラのカメラＩＤが示されている。また、設定画面の下方には、割り当てを行なうときに用いられる操作用の十字キー１５０５ａとＯＫボタン１５０６Ａと、設定が終了した後、図１（ｂ）のメニュー画面に復帰するための設定終了ボタン１５０７Ａとが設けられている。
【００３４】
図３の設定画面では、３分割された画面の一番上に、Ａさんのデジタルカメラで撮影した画像、２番目にＢさんのデジタルカメラで撮影した画像、３番目にＣさんのデジタルカメラで撮影した画像という風にユーザの十字キーやＯＫボタンの操作によりカメラＩＤの割り当てが行なわれる。
【００３５】
こうして設定が終了した後、設定終了ボタン１５０７Ａが押され、図１（ｂ）の画面に切り替えられた後でスライドメニューボタン１５０３Ａが押されると、図４に示す様に、図３の設定画面どおりに画像がスクロール表示される。図４には、スクロールされる方向が矢印で示されている。
【００３６】
図４は、フォトフレーム１上に３つのデジタルカメラで撮影された画像がスクロール表示されている例を示す図である。また図５は、同種のフォトフレーム１が２つ横に並べて隣接配置された場合の表示例を示す図である。図６は、同種のフォトフレームが３つ縦に並べて隣接配置された場合の表示例を示す図である。
【００３７】
なお、図４から図６には、図３のメニュー画面とは異なるメニュー画面上で撮影者の顔写真とカメラＩＤとが結び付けられて、各分割領域の画像が誰のものであるかを示すために一番左側に撮影者の顔が表示された例が示されている。
【００３８】
ここで、上記課題にも掲げた様に、フォトフレームで図４のようにスクロール表示を実施すると、横軸となる時間のスケールの取り方によっては分割画面の各分割領域の画像が密に表示されたり、逆に分割画面上のいずれかの分割領域に画像が全く表示されなくなってしまうことがあった。また、旅行に行った人の数が多くなると、分割画面の数が増えて画像が小さくなって見難くなるという問題もあった。
【００３９】
そこで、本願発明では、前述した様に、図１のフォトフレーム１が矩形状であることを利用して、４辺それぞれに赤外線通信装置１２１〜１２４を設けて、例えば第１のフォトフレームの左側に同種の第２のフォトフレームが隣接配置されたときには、第１のフォトフレームの右側の赤外線通信装置と第２のフォトフレームの左側の赤外線通信装置とで相互通信を行なって互いに位置を確認しあうことができるようにしている。図１〜図４の例では、赤外線通信装置が、本発明にいう位置配置認識手段の一例を構成する。
【００４０】
このようにすると、第１のフォトフレームのＣＰＵ１００は、第１のフォトフレームの右又は左に隣接して配置されたことを左又は右の赤外線通信装置１２３，１２２を使って認識することができ、認識した場合には、認識に寄与した赤外線通信装置を使って画像信号を含めて表示に関する制御情報を第２のフォトフレームに送信することができる。また、第２のフォトフレーム１のＣＰＵ１００も、第１のフォトフレーム１のＣＰＵ１００と同じ様にフォトフレームの動作を制御することができる。
【００４１】
このため、ＣＰＵ１００が、左右の赤外線通信装置により左右の少なくとも一方に別の同機種のフォトフレームが配置されたことを認識した場合には、図５に示す様に、その別のフォトフレームのＣＰＵ１００と連携して第１のフォトフレーム１の各領域を横方向に延長することにより第１のフォトフレームの第１の表示画面と第２のフォトフレームの第２の表示画面とに跨って横方向に延びた領域に分け直し、各画像ファイルに含まれる画像を各画像ファイルに対応する、分け直した各領域にスクロール表示することができる。
【００４２】
同様に、ＣＰＵ１００が、上下の赤外線通信装置１２０，１２１により上下の少なくとも一方に別の同機種のフォトフレーム１が配置されたことを認識した場合には、図６に示す様に、その別のフォトフレームのＣＰＵ１００と連携して、各領域の上下方向の幅を上下方向に広げることにより、第１の表示画面と第２の表示画面とを合わせた拡張表示画面を、各画像ファイルごとに縦方向に広がった領域に分け直し、各画像ファイルに含まれる画像を、各画像ファイルに対応する、分け直した各領域にスクロール表示することができる。
【００４３】
図５、図６のようにスクロール表示を行なうことができると、分割領域ごとに画像が密に表示されたり、あるいは疎に表示されたりするときには、フォトフレームを横方向に並べて時間軸を延ばして多くの画像を表示することができ、また、分割領域数が増えたときには、フォトフレームを縦に並べて各撮影者の画像を大きく表示することができる。その結果、皆で一緒に画像を楽しむことができるようになる。
【００４４】
以上説明した様に、複数の人が同じ場所で撮影した画像を後から一緒に楽しむことができるフォトフレームが実現する。
【００４５】
なお、上記実施形態では、本発明にいう表示装置の一例としてフォトフレームを掲げたが、デジタルカメラ、パーソナルコンピュータ等に用いられる表示装置にも適用可能である。
【００４６】
また、上記実施形態では、赤外線通信装置という無線通信装置を配置位置認識手段の一例にして説明したが、４つの赤外線通信装置の代わりに４つの近接スイッチを設け、さらにＵＳＢ規格に適合した有線の通信装置を設けて、近接スイッチを配置位置認識手段として作用させ画像信号の転送を有線の通信装置を使って行なう構成にしても良い。
【００４７】
さらに、パーソナルコンピュータにＵＳＢ規格に準拠したケーブルで複数のフォトフレームを接続して、各々の位置をパーソナルコンピュータの入力画面で入力する構成にしても良い。この場合には、配置位置認識手段は、パーソナルコンピュータということになる。
【図面の簡単な説明】
【００４８】
【図１】本発明のフォトフレームの一実施形態を示す図である。
【図２】図１のフォトフレームの内部構成を示す図である。
【図３】スライドショーの設定に関する設定画面の一例を示す図である。
【図４】フォトフレーム上に画像がスクロール表示されている例を示す図である。
【図５】フォトフレームが横に並べて隣接配置された場合の表示例を示す図である。
【図６】フォトフレームが縦に並べて隣接配置された場合の表示例を示す図である。
【符号の説明】
【００４９】
１    フォトフレーム
１００    ＣＰＵ
１０１    プログラムメモリ
１０２    画像メモリ
１０３    表示制御部
１１１〜１１４    メモリ装填室
１２０〜１２３    赤外線通信装置
１５０  ＬＣＤ
１５０Ａ    タッチパネル
【図１】
2010102179.tif 000003
【図２】
2010102179.tif 000004
【図３】
2010102179.tif 000005
【図４】
2010102179.tif 000006
【図５】
2010102179.tif 000007
【図６】
2010102179.tif 000008